(57)【要約】  【課題】  光ディスク装置において、短時間の情報記録と記録品質確保とを可能にする技術の提供。  【解決手段】  光ディスクの記録ゾーンを複数の記録ゾーンに分割し、該分割された記録ゾーン毎に、バッファメモリのバッファエンプティの度数をカウントし、該カウント結果に基づいて記録速度を制御する。また、上記カウント結果の判別は、予め記録ゾーン毎に設定した基準値と比較することにより行う。【選択図】  図３
2006127632.tif 000002
【特許請求の範囲】
【請求項１】
ホストコンピュータ側から転送される記録用データを光ディスクに記録する光ディスク装置であって、
上記転送された記録用データを一時記憶するバッファメモリと、
上記光ディスクの半径方向に区分された記録ゾーン毎に、上記バッファメモリのバッファエンプティの度数をカウントし、該カウント結果に基づき記録速度の制御を行う制御部と、
を備え、上記制御された記録速度で上記記録ゾーンに上記記録用データを記録する構成としたことを特徴とする光ディスク装置。
【請求項２】
ホストコンピュータ側から転送される記録用データを光ディスクに記録する光ディスク装置であって、
上記光ディスクを回転駆動するスピンドルモータと、
サーボ制御系により上記スピンドルモータの回転速度制御を行う第１の制御部と、
上記転送された記録用データを一時記憶するバッファメモリと、
上記光ディスクの半径方向に区分された記録ゾーン毎に、上記バッファメモリのバッファエンプティを検出してその度数をカウントし、該カウント結果を予め設定された基準値と比較して判別し、該判別の結果に基づき、上記スピンドルモータの回転速度を変えるための制御信号を形成し上記第１の制御部側に出力する第２の制御部と、
を備え、上記記録ゾーン毎に上記バッファメモリのデータ記憶状態に対応した速度で上記光ディスクを回転させ、上記記録ゾーンに上記記録用データを記録する構成としたことを特徴とする光ディスク装置。
【請求項３】
上記第２の制御部は、上記記録ゾーン毎に設定される基準値に基づき上記カウント結果の判別を行う構成である請求項２に記載の光ディスク装置。
【請求項４】
上記基準値は、外周側の記録ゾーンにおける基準値の方が、上記光ディスクの内周側の記録ゾーンにおける基準値よりも大きい値に設定されている請求項２または請求項３に記載の光ディスク装置。
【請求項５】
ホストコンピュータ側から転送される記録用データをバッファメモリに一時記憶した後光ディスクに記録する光ディスク装置の情報記録方法であって、
上記記録用データの記録を行う光ディスクの半径方向に区分された記録ゾーンのそれぞれにおいて、
上記バッファメモリのバッファエンプティとなる度数をカウントする第１のステップと、
上記カウントされた度数を、予め設定されている基準値と比較し、該基準値に達したか否かを判別する第２のステップと、
上記判別の結果、上記カウントされた度数が上記基準値に達したとき、上記光ディスクの回転速度を低減する第３のステップと、
上記低減した回転速度で光ディスクを回転させ、所定の記録ゾーンに上記記録用データを記録する第４のステップと、
を経て情報記録を行うことを特徴とする光ディスク装置の情報記録方法。
【発明の詳細な説明】
【技術分野】
【０００１】
本発明は、光ディスク装置に係り、特に、情報記録時のバッファアンダーランによる記録速度及び記録品質の低下を回避する技術に関する。
【背景技術】
【０００２】
本発明に関連した従来技術としては、例えば、特開２００４−１２７３８３号公報（特許文献１）や特開２００３−１５１２０７号公報（特許文献２）に記載されたものがある。特開２００４−１２７３８３号公報には、光ディスク装置において、バッファアンダーラン回避処理の多発時に記録時間を短縮するために、記録の中断回数をカウントし、該カウント数が所定値以上の場合に光ディスクの記録速度を低速側に切替えるとした技術が記載され、特開２００３−１５１２０７号公報には、光ディスク装置において、データ書込み中の中断回数が多い場合に該回数を減少させるために、バッファアンダーランが生じた際にはデータ書込みを中断し、バッファメモリに十分なデータが蓄積された際にデータ書込みを再開するように制御する手段として、記録保護機能の作動回数をカウントし、該カウントされた作動回数が中断限度回数を超えた場合に書込み速度を遅くするように制御するとしたものが記載されている。
【０００３】
【特許文献１】特開２００４−１２７３８３号公報
【特許文献２】特開２００３−１５１２０７号公報
【発明の開示】
【発明が解決しようとする課題】
【０００４】
上記両公報記載の従来技術では、記録ゾーンによらず記録開始時からの記録中断回数をカウントし、該カウントした記録中断回数を基準回数と比較し、該結果に基づき記録速度を低速側に切替えるという制御方式のため、記録品質を十分に確保できない場合が生ずる可能性がある。例えば追記記録を行うような場合には、該追記記録の開始時点からの記録中断回数がカウントされる。このため、該カウント数が上記基準回数に達しない場合には、たとえバッファメモリがバッファエンプティ状態を繰り返し引き起こす状況にあったとしても、記録速度の低速側への切替えは実行されず、もとの記録速度のままで記録動作が続行され、その結果、該追加記録の記録時間が増加するとともに記録品質が低下してしまうおそれがある。また、ディスクへの記録速度がディスク半径方向に対して一定ではなく、段階的に上昇するＺＣＬＶ記録方式制御や徐々に上昇するＣＡＶ記録方式制御の場合では、ディスク記録位置の記録速度の変化に応じたバッファメモリのバッファエンプティ状態を適切に判断することが困難と考えられ、このために、記録速度の低速側への切替えは実行されず、上記追加記録の場合の記録時間が増加するとともに、記録品質も低下してしまうおそれがある。
本発明の課題点は、上記従来技術の状況に鑑み、光ディスク装置において、データ記録時にバッファアンダーランが起きる回数を極力減少させて、記録時間の増大を抑えかつ記録品質の低下を防止することができるようにすることである。
本発明の目的は、かかる課題点を解決し、光ディスク装置において、短時間の情報記録と記録品質確保とを可能にする技術を提供することにある。
【課題を解決するための手段】
【０００５】
上記課題点を解決するために、本発明では、光ディスク装置において、光ディスクの記録ゾーンを複数の記録ゾーンに分割し、該分割された記録ゾーン毎に、バッファメモリのバッファエンプティの度数をカウントし、該カウント結果に基づいて記録速度を制御する。また、上記カウント結果の判別は、予め上記複数の記録ゾーン毎に設定した基準値と比較することにより行う。具体的には、本発明は、上記を基本構成要件とする光ディスク装置と、上記を経時的基本動作要件とする光ディスク装置の情報記録方法である。
【発明の効果】
【０００６】
本発明によれば、光ディスク装置において、バッファアンダーランが起きる回数を減少させて、記録時間の増大が抑えられかつ記録品質の低下を防止することが可能となる。
【発明を実施するための最良の形態】
【０００７】
以下、本発明を実施するための最良の形態につき、図面を用いて説明する。
図１〜図４は、本発明の実施形態の説明図である。図１は、本発明の実施形態としての光ディスク装置の構成例図、図２は、図１の光ディスク装置におけるパーシャルＣＡＶ方式（部分的角速度一定方式）制御の場合の光ディスクの記録ゾーンと記録速度の説明図、図３は、図１の光ディスク装置の記録動作手順の説明図、図４は、図１の光ディスク装置におけるＺＣＬＶ方式（ゾーン線速度一定方式）制御の場合の光ディスクの記録ゾーンと記録速度の説明図である。
【０００８】
図１において、１００は光ディスク装置、１は光ディスク、２は光ディスク１を回転駆動するためのスピンドルモータ、３は、光ディスク１に対しレーザー光を照射し、該光ディスク１にデータを記録したり、記録されたデータを読み出したりする光ピックアップ、４は、光ピックアップ３により読み出されたデータに基づきアナログ信号処理を行い、フォーカスエラー信号やトラッキングエラー信号やＲＦ信号などを形成して出力するアナログフロントエンドプロセッサ、５は、サーボ制御系が構成され、光ディスク１の半径方向に複数に区分された記録ゾーン内で、スピンドルモータ２の速度制御や、光ピックアップ３内の対物レンズ（図示なし）に対してフォーカスエラー信号によるフォーカス制御やトラッキングエラー信号によるトラッキング制御などを行う第１の制御部としてのサーボコントロール部、６は、記録信号に基づき、光ピックアップ３内のレーザーダイオード（図示なし）のレーザー発光動作を制御するレーザーコントロール部、７は、記録信号の変調などの記録信号処理や、ＲＦ信号の復調などの再生信号処理等を行うデジタル記録再生信号処理部、８は、アナログフロントエンドプロセッサ４で形成されたＲＦ信号からクロックを再生するクロック再生部、９は、装置全体の基本的制御を行う第２の制御部としてのシステムプロセッサ、１０は、システムプロセッサ９の動作プログラムなどを記憶するフラッシュＲＯＭ、５０は、光ディスク装置１００との間で記録用データの転送や再生データの転送を行うホストコンピュータ、１１は、ホストコンピュータ５０と光ディスク装置１００との間で転送信号の授受を行うインターフェース部、２０は、ホストコンピュータ５０側から転送される記録用データや光ディスク装置１００側からホストコンピュータ５０側に転送される再生データを一時記憶するためのバッファメモリである。
【０００９】
光ディスク１は、その記録面が、ディスク半径方向に区分された複数の同心円環状の記録ゾーンに分割されている。第２の制御部としての上記システムプロセッサ９は、該記録ゾーン毎に、上記バッファメモリ２０のバッファエンプティを検出してその度数（回数）をカウントし、該カウント結果としての度数を、予め設定されている基準値と比較し、該カウントされた度数が該基準値に達したか否かを判別する。該判別の結果、該カウントされた度数が該基準値に達したときは、上記スピンドルモータ２の回転速度を変えるための制御信号を形成し、該制御信号を、第１の制御部としての上記サーボコントロール部５側に出力する。インターフェース部１１は、バッファメモリ２０に対し、記録用データや再生データの記憶や読み出しを制御する。ここで、上記基準値とは、バッファエンプティのカウント数の判別の基準となるデジタルの数値または、信号例えばバッファエンプティの度数（回数）に対応したレベルの電圧信号などを指すものとする。
【００１０】
上記構成において、記録時、上記ホストコンピュータ５０から記録用データが、インターフェース部１１を介して光ディスク装置１００側に転送されると、該記録用データは、バッファメモリ２０にいったん記憶された後に読み出され、デジタル記録再生信号処理部７に入力される。該デジタル記録再生信号処理部７は該記録用データに基づく記録信号を変調する。該変調された記録信号はレーザーコントロール部６に入力され、該レーザーコントロール部６は該変調記録信号に基づき光ピックアップ３内のレーザーダイオード（図示なし）におけるレーザー光の発光を制御する。該レーザーダイオードで発光された所定の強さのレーザー光は、光ピックアップ３内の対物レンズ（図示なし）から光ディスク１の記録面に照射され、該記録面に上記記録用データの情報を記録する。
【００１１】
このとき、システムプロセッサ９は、光ディスク１の上記記録ゾーン毎に、バッファメモリ２０から読み出されインターフェース部１１からデジタル記録再生信号処理部７に送られる記録用データを監視して、該記録ゾーン毎に、上記バッファメモリ２０のバッファエンプティを検出してその度数（回数）を、予め記録ゾーン毎に設定されている基準値と随時比較しながらカウントし、該カウントした度数が該基準値に達したか否かを随時判別し、該判別の結果、該カウントされた度数が該基準値に達したとき、上記スピンドルモータ２の回転速度を落すための制御信号を形成し、該制御信号をサーボコントロール部５側に出力する。サーボコントロール部５は、サーボ制御系により、該制御信号に基づく制御を行い、スピンドルモータ２の回転速度を所定値まで落し、光ディスク１の回転速度を例えば１ランク分下げる。例えば、複数の記録ゾーンのうちの１つの記録ゾーンＡに記録用データを８倍速で記録している場合であって該記録ゾーンＡの上記基準値が「１０」と設定されている場合、該記録ゾーンＡ内で８倍速での記録動作中に、システムプロセッサ９は、上記バッファメモリ２０がバッファエンプティとなる度数（回数）を検出してカウントし、その度数（回数）が基準値の「１０」に達した時に上記制御信号を形成し、サーボコントロール部５側に出力する。
【００１２】
サーボコントロール部５は、サーボ制御系により、該制御信号に基づくサーボ制御を行い、スピンドルモータ２の回転速度を、光ディスクの回転速度が例えば６倍速になる速度に下げる。該６倍速で光ディスク装置１００は、記録用データのバッファメモリ２０への取り込みとその読み出しを行いながら記録動作を続行し、システムプロセッサ９は、該６倍速の状態で、バッファエンプティとなる度数（回数）の検出、カウント、基準値との比較、判別を行う。バッファエンプティとなる度数（回数）が「１０」に達しない場合は、その記録ゾーンＡ内ではそのまま６倍速状態で記録を行う。また、上記８倍速でバッファエンプティとなる度数（回数）が「１０」に達しない場合は、記録ゾーンＡ内ではそのまま８倍速での記録を行う。記録ゾーンＡ内での記録を終了すると、例えば次の記録ゾーンＢ内の記録動作に移る。
【００１３】
記録ゾーンＢでは記録用データを例えば１０倍速の通常倍速で記録されるようになっておりかつ該記録ゾーンＢの上記基準値が「１２」と設定されているものとする。該記録ゾーンＢ内でも、光ディスク装置１００は、該１０倍速で記録用データのバッファメモリ２０への取り込みとその読み出しを行いながら記録動作を行い、システムプロセッサ９は、バッファエンプティとなる度数（回数）の検出、カウント、基準値「１２」との比較、判別を行う。バッファエンプティとなる度数（回数）が「１２」に達した場合は、システムプロセッサ９は、制御信号を形成し、サーボコントロール部５側に出力する。サーボコントロール部５は、サーボ制御系により、該制御信号に基づくサーボ制御を行い、スピンドルモータ２の回転速度を、光ディスクの回転速度が例えば８倍速になる速度まで下げて記録を行う。上記１０倍速でバッファエンプティとなる度数（回数）が「１２」に達しない場合は、記録ゾーンＢ内ではそのまま１０倍速で記録を行う。上記８倍速に下げた場合も、光ディスク装置１００は、該８倍速で記録用データのバッファメモリ２０への取り込みとその読み出しを行いながら記録動作を行い、システムプロセッサ９は、該８倍速状態で、バッファエンプティとなる度数（回数）の検出、カウント、基準値「１２」との比較、判別を行い、バッファエンプティとなる度数（回数）のカウント値が基準値「１２」に達しない場合は、その記録ゾーンＢ内ではそのまま８倍速で記録を行う。上記「１０」や「１２」等の基準値は記録ゾーン毎に適切な値が設定され、例えば、ディスク外周側の記録ゾーンにおける基準値の方が、ディスク内周側の記録ゾーンにおける基準値よりも大きい値に設定される。また、一旦回転速度が低下した場合は例えばその記録ゾーンの基準値「１２」を基準値「１０」に、その記録ゾーン以降の基準値をそれに合わせて減少させて切替えるなどとしてもよい。
【００１４】
以下、図２〜図４の説明において用いる上記図１の装置の構成要素には、図１の場合と同じ符号を付して用いる。
図２は、図１の光ディスク装置１００におけるパーシャルＣＡＶ方式（部分的角速度一定方式）制御の場合の、光ディスク１の記録ゾーンと記録速度の説明図である。（ａ）は光ディスク１の記録ゾーン例、（ｂ）は記録ゾーンに対応した記録速度例を示す。
【００１５】
図２において、光ディスク１は、その記録面が、（ａ）のようにディスク半径方向に区分された複数の同心円環状の記録ゾーンＡ〜Ｅに分割（ゾーン分割）されている。記録速度は、記録ゾーンＡ〜Ｅに対応したパーシャルＣＡＶ方式制御の速度であって、記録ゾーンＡ〜ＤではＣＡＶ方式制御の速度、記録ゾーンＥではＣＬＶ方式（線速度一定方式）制御の速度である。各記録ゾーンの記録速度は、記録ゾーンＡでは通常は８倍速、記録ゾーンＢでは同１０倍速、記録ゾーンＣでは同１２倍速、記録ゾーンＤでは同１４倍速、記録ゾーンＥでは同１６倍速である。記録ゾーンＡ〜Ｅではそれぞれ、記録ゾーン毎に、システムプロセッサ９が、カウントしたバッファエンプティの度数（回数）の比較・判別をするための基準値が設定されている。例えば、記録ゾーンＡでは基準値が「１０」、記録ゾーンＢでは同「１２」、記録ゾーンＣでは同「１４」、記録ゾーンＤでは同「１６」、記録ゾーンＥでは同「１８」と設定されているものとする。
【００１６】
かかる構成において、例えば、記録ゾーンＡ〜Ｅの全てにＡ〜Ｅの順で記録を行うとした場合、記録ゾーンＡでは、８倍速のＣＡＶ方式制御で光ディスクを回転させた状態で、システムプロセッサ９は、バッファエンプティの度数（回数）を検出してその度数をカウントし、カウントした度数を基準値「１０」と比較し、該基準値「１０」に達したか否かを判別し、達しない場合はそのまま８倍速のＣＡＶ方式制御で光ディスクを回転させる。記録ゾーンＡの記録を終了すると、次の記録ゾーンＢでの記録に移行する。このとき、システムプロセッサ９は、記録ゾーンの境界部（切れ間部）ロを検出し、記録ゾーンＡでカウントしたバッファエンプティの度数（回数）（カウント値）をクリアして初期状態の「０」にリセットする。同様に、記録ゾーンＢでは、１０倍速のＣＡＶ方式制御で光ディスクを回転させた状態で、システムプロセッサ９は、バッファエンプティの度数（回数）を検出してその度数をカウントし、カウントした度数を基準値「１２」と比較し、該基準値「１２」に達したか否かを判別し、達しない場合はそのまま１０倍速のＣＡＶ方式制御で光ディスクを回転させ、記録を続ける。記録ゾーンＢの記録を終了すると、次の記録ゾーンＣでの記録に移行する。システムプロセッサ９は、記録ゾーンＣでも同様の制御を行う。
【００１７】
例えば、記録ゾーンＤにおける記録動作の途中ａ点で、システムプロセッサ９によりカウントされたバッファエンプティの度数（回数）が基準値「１６」に達したとすると、システムプロセッサ９は制御信号を形成してサーボコントロール部５側に出力する。サーボコントロール部５は該制御信号に従って、スピンドルモータ２の回転速度を下げて光ディスク１の回転速度を１４倍速の記録速度に下げる（ｂ点）。該１４倍速の記録速度で記録を続行し、さらにｃ点で、システムプロセッサ９によりカウントされたバッファエンプティの度数（回数）が基準値「１６」に達したとすると、システムプロセッサ９は制御信号を形成してサーボコントロール部５を制御し、スピンドルモータ２の回転速度を下げて光ディスク１の回転速度を１２倍速の記録速度に下げる（ｄ点）。その後、該記録ゾーンＤにおける記録動作で、システムプロセッサ９によりカウントされたバッファエンプティの度数（回数）が基準値「１６」に達しない場合は、そのまま１２倍速の記録速度で記録を行う。なお、記録速度を下げた時点で、そのゾーンのバッファエンプティの度数（回数）はゼロクリアされ、または基準値「１６」の数値を「１２」等に減少させる入れ替えは行われるものとする。
【００１８】
記録ゾーンＤの記録を終了すると、次の記録ゾーンＥでの記録に移行する。このとき、システムプロセッサ９は、記録ゾーンＤと記録ゾーンＥとの境界部（切れ間部）ホを検出し、記録ゾーンＤでカウントしたバッファエンプティの度数（回数）（カウント値）をクリアして初期状態の「０」にリセットする。記録ゾーンＥでは、１６倍速のＣＬＶ方式制御で光ディスクを回転させた状態で、システムプロセッサ９は、バッファエンプティの度数（回数）を検出してその度数をカウントし、カウントした度数を基準値「１８」と比較し、該基準値「１８」に達したか否かを判別し、達しない場合はそのまま１６倍速のＣＬＶ方式制御で光ディスクを回転させて記録を続け、やがて記録動作を終了する。また、該記録ゾーンＥで、上記記録ゾーンＤで記録速度を下げたままの例えば１２倍速の状態とした場合は、システムプロセッサ９は、該１２倍速においてバッファエンプティの度数（回数）を検出してその度数をカウントし、カウントした度数を新しく設定された基準値例えば「１２」と比較し、該基準値「１２」に達したか否かを判別し、達しない場合はそのまま１２倍速のＣＬＶ方式制御で光ディスクを回転させて記録を続け、やがて記録動作を終了する。
【００１９】
図３は、図１の光ディスク装置１００の記録動作手順の説明図である。
図３において、
（１）システムプロセッサ９は、光ディスク装置１００に対し記録動作をスタートさせる（ステップＳ３０１）。
（２）システムプロセッサ９は、記録位置すなわち記録ゾーンの取り込みを行う（ステップＳ３０２）。
（３）システムプロセッサ９は、バッファエンプティか否かを判別、すなわち、バッファエンプティの検出を行う（ステップＳ３０３）。
（４）システムプロセッサ９は、ステップＳ３０３における判別の結果、バッファエンプティである場合は、該バッファエンプティのカウント値を１つ加算する（ステップＳ３０４）。
（５）システムプロセッサ９は、記録位置が記録ゾーン間の境界部（切れ間部）にあるか否かを判別する（ステップＳ３０５）。
（６）ステップＳ３０５における判別の結果、記録位置が記録ゾーン間の境界部（切れ間部）にない場合すなわちまだ記録位置は記録ゾーン中にある場合、システムプロセッサ９は、バッファエンプティのカウント値が、その記録ゾーンに対応して設定されている基準値と比較し、該基準値に達したか否かを判別する（ステップＳ３０６）。
（７）ステップＳ３０６における判別の結果、バッファエンプティのカウント値が、該基準値に達していない場合は、システムプロセッサ９は、バッファエンプティが解除されたかどうかを判別する（ステップＳ３０９）。
（８）ステップＳ３０９における判別の結果、バッファエンプティが解除された場合は、そのまま記録動作を続行させて１ブロックの記録を行わせる（ステップＳ３１０）。
（９）システムプロセッサ９は、記録動作を終了させてよいか否かを判別する（ステップＳ３１１）。
（１０）ステップＳ３１１における判別の結果、記録動作を終了させてよい場合は、光ディスク装置１００は記録動作を終了する（ステップＳ３１２）。
（１１）上記ステップＳ３０３における判別の結果、バッファエンプティでない場合は、システムプロセッサ９は、そのまま記録動作を続行させて１ブロックの記録を行わせる（ステップＳ３１０）。
（１２）上記ステップＳ３０５における判別の結果、記録位置が記録ゾーン間の境界部（切れ間部）にある場合は、システムプロセッサ９は、バッファエンプティのカウントをクリアしてカウント値を初期値の「０」に戻し（ステップＳ３０７）、その後バッファエンプティが解除されたかどうかを判別する（ステップＳ３０９）。
（１３）上記ステップＳ３０６における判別の結果、バッファエンプティのカウント値がその記録ゾーンに対応して設定されている基準値に達した場合、システムプロセッサ９は、制御信号を形成して該制御信号でサーボコントロール部５を制御し、スピンドルモータ２の回転速度を下げて光ディスク１の回転速度を１ランク下の記録速度に下げる（ステップＳ３０８）。この場合、そのゾーンでのバッファエンプティカウント数もクリアされ、また、そのゾーン以降の基準値も数値を減少させて再設定する。
【００２０】
上記（１）〜（１３）の一連の動作は、システムプロセッサ９が、プログラムに従い、上記ステップＳ３０１〜ステップＳ３１２の一連の手順を実行することにより自動的に行われる。システムプロセッサ９に該諸手順を実行させる該プログラムは、光ディスク装置１００内のフラッシュＲＯＭに予め記憶されている。
本発明が適用される光ディスク装置は、上記パーシャルＣＡＶ方式制御のものに限らず、例えばＺＣＬＶ方式制御のものなどであってもよい。
【００２１】
図４は、図１の光ディスク装置におけるＺＣＬＶ方式制御の場合の光ディスクの記録ゾーンと記録速度の説明図である。本ＺＣＬＶ方式制御の場合も、システムプロセッサ９による制御動作は、基本的に、上記図２における場合と同じである。例えば、記録ゾーンＤにおける記録動作の途中ａ'点で、システムプロセッサ９によりカウントされたバッファエンプティの度数（回数）が、記録ゾーンＤ用に設定された基準値「１６」に達したとすると、システムプロセッサ９は制御信号を形成してサーボコントロール部５側に出力する。サーボコントロール部５は該制御信号に従って、スピンドルモータ２の回転速度を下げて光ディスク１の回転速度を１２倍速の記録速度に下げる（ｂ'点）。該１２倍速の記録速度で記録を続行し、さらにｃ'点で、システムプロセッサ９によりカウントされたバッファエンプティの度数（回数）が基準値「１６」に達したとすると、システムプロセッサ９は制御信号を形成してサーボコントロール部５を制御し、スピンドルモータ２の回転速度を下げて光ディスク１の回転速度を１０倍速の記録速度に下げる（ｄ'点）。その後、該記録ゾーンＤにおける記録動作で、システムプロセッサ９によりカウントされたバッファエンプティの度数（回数）が基準値「１６」に達しない場合は、そのまま１０倍速の記録速度で記録を行う。
【００２２】
記録ゾーンＤの記録を終了すると、次の記録ゾーンＥでの記録に移行する。このとき、システムプロセッサ９は、記録ゾーンＤと記録ゾーンＥとの境界部（切れ間部）ホを検出し、記録ゾーンＤでカウントしたバッファエンプティの度数（回数）（カウント値）をクリアして初期状態の「０」にリセットする。記録ゾーンＥでは、１６倍速のＣＬＶ方式制御で光ディスクを回転させた状態で、システムプロセッサ９は、バッファエンプティの度数（回数）を検出してその度数をカウントし、カウントした度数を基準値「１８」と比較し、該基準値「１８」に達したか否かを判別し、達しない場合はそのまま１６倍速のＣＬＶ方式制御で光ディスクを回転させて記録を続け、やがて記録動作を終了する。また、該記録ゾーンＥで、上記記録ゾーンＤで記録速度を下げたままの例えば１０倍速の状態とした場合は、システムプロセッサ９は、該１０倍速においてバッファエンプティの度数（回数）を検出してその度数をカウントし、カウントした度数を新しく設定された基準値例えば「１２」と比較し、該基準値「１２」に達したか否かを判別し、達しない場合はそのまま１０倍速のＺＣＬＶ方式制御で光ディスクを回転させて記録を続け、やがて記録動作を終了する。
【００２３】
上記図１〜図４で説明した本発明の実施例によれば、光ディスクの記録面を複数の記録ゾーンに分割し、該記録ゾーン毎に、バッファエンプティの度数（回数）を検出してカウントし、該カウント値が予め設定された基準値に達した場合に記録ゾーン毎に記録速度を低減させて、ホストコンピュータ５０からの記録用データの転送速度に合せるため、きめの細かい記録速度の制御が可能となり、記録品質の低下を防ぐことができる。特に、追記記録を行うような場合には、ディスクの途中から記録開始するため、そのゾーンに対応する基準値に応じてバッファエンプティの度数（回数）を検出しカウントし、該カウント値が予め設定された基準値に達した場合に該記録ゾーンの記録速度を低減させることができる。このため、ディスクの記録位置に対して効果的に、バッファアンダーランに陥る回数を減少させることができる。また、記録ゾーン毎に設定される基準値に基づき上記カウント値の判別を行う構成であるため、バッファエンプティとなりにくい記録速度の低い記録ゾーンでは低い基準値とし、バッファエンプティとなり易い記録速度の高い記録ゾーンでは高い基準値とすることで、記録品質の向上と併せ記録時間の短縮化も可能となる。さらに、上位のホストコンピュータのデータ転送速度が何かの要因により、突然著しく低下した場合においても、本方式の記録速度低減化方式であれば、バッファエンプティ度数（回数）による記録速度のチェックがゾーン毎に細分化されて行われるため、即座にデータ転送速度の低下を検出し、記録速度をそのデータ転送速度に対応した記録速度に低下させて記録することができ、これによりディスクのバッファアンダーラン記録による記録品質の大幅劣化を回避することが可能となる。
【００２４】
なお、上記実施例では、バッファエンプティのカウント数が基準値に達した場合は、記録速度を１ランク分下げるとしたが、２ランク以上下げるようにしてもよい。また、上記実施例では、ディスクの外周側位置になるに従い記録速度が上昇するパーシャルＣＡＶ方式制御の場合やＺＣＬＶ方式制御の場合の例について述べたが、記録速度がディスク記録面の全面に対して一定となるＣＬＶ方式制御の場合でも同様である。
【図面の簡単な説明】
【００２５】
【図１】本発明の実施形態としての光ディスク装置の構成例図である。
【図２】図１の光ディスク装置におけるパーシャルＣＡＶ方式制御の場合の記録速度の説明図である。
【図３】図１の光ディスク装置における記録動作手順の説明図である。
【図４】図１の光ディスク装置におけるＺＣＬＶ方式制御の場合の記録速度の説明図である。
【符号の説明】
【００２６】
１…光ディスク、
２…スピンドルモータ、
３…光ピックアップ、
４…アナログフロントエンドプロセッサ、
５…サーボコントロール部、
６…レーザーコントロール部、
７…デジタル記録再生信号処理部、
８…クロック再生部、
９…システムプロセッサ、
１０…フラッシュＲＯＭ、
１１…インターフェース部、
５０…ホストコンピュータ、
２０…バッファメモリ、
１００…光ディスク装置。
【図１】
2006127632.tif 000003
【図２】
2006127632.tif 000004
【図３】
2006127632.tif 000005
【図４】
2006127632.tif 000006